(57)【特許請求の範囲】
【請求項１】
複数枚を重ねて所定の間隔で配置した第１から第ｎの液晶層（ｎは２以上の整数）と、
前記第１の液晶層の視認側に配した、透過容易軸と平行な振動面は透過し、透過容易軸と直交する振動面を吸収する吸収型偏光板と、
前記第１から第ｎの液晶層のそれぞれの間に配した、透過容易軸と直交する振動面は反射し、透過容易軸と平行な振動面を透過させる第１から第ｎ−１の反射型偏光板と、
前記第ｎの液晶層の視認側とは反対側に配した第ｎの反射型偏光板とを備え、
前記第１から第ｎの液晶層における各液晶層をそれぞれ制御することにより、３次元立体像の表示を可能としたことを特徴とする液晶表示装置。
【請求項２】
前記吸収型偏光板の透過容易軸と、前記第１の反射型偏光板の透過容易軸とを直交させ、
前記第ｋ−１の反射型偏光板（ｋは２からｎまでの整数）の透過容易軸と、第ｋの反射型偏光板の透過容易軸とを直交させたことを特徴とする請求項１に記載の液晶表示装置。
【請求項３】
前記第１の液晶層から前記第ｎの液晶層の少なくとも２層以上の液晶層は、前記吸収型偏光板または前記反射型偏光板における透過容易軸の直線偏光に対して、位相または強度変調を行うことを特徴とする請求項１または２に記載の液晶表示装置。
【請求項４】
前記第１の液晶層から前記第ｎの液晶層の少なくとも２層以上の液晶層は、ツイストネマティック液晶であることを特徴とする請求項１から３のいずれか一項に記載の液晶表示装置。
【請求項５】
前記第１の液晶層から前記第ｎの液晶層の少なくとも２層以上の液晶層は、スーパーツイストネマティック液晶であることを特徴とする請求項１から３のいずれか一項に記載の液晶表示装置。
【請求項６】
前記第１の液晶層から前記第ｎの液晶層の少なくとも２層以上の液晶層は、強誘電性液晶であることを特徴とする請求項１から３のいずれか一項に記載の液晶表示装置。
【請求項７】
前記第１の液晶層から前記第ｎの液晶層の少なくとも２層以上の液晶層は、反強誘電性液晶であることを特徴とする請求項１から３のいずれか一項に記載の液晶表示装置。
【請求項８】
前記第１の液晶層から前記第ｎの液晶層は、ツイストネマティック液晶であり、
前記吸収型偏光板の透過容易軸と、前記第１の液晶層の視認側のダイレクタの方向とを
平行または直交させ、
前記第ｋ−１の反射型偏光板の透過容易軸の方向と、第ｋの液晶層の視認側のダイレクタの方向とを平行または直交させて配置したことを特徴とする請求項２に記載の液晶表示装置。
【請求項９】
前記第ｎの反射型偏光板の視認側とは反対側に、反射板を備えることを特徴とする請求項８に記載の液晶表示装置。
【請求項１０】
前記第ｎの反射型偏光板の視認側とは反対側に、バックライトを備えることを特徴とする請求項８に記載の液晶表示装置。
【請求項１１】
前記バックライトは、ＥＬ、ＬＥＤ、熱陰極管、または冷陰極管であることを特徴とする請求項１０に記載の液晶表示装置。
【請求項１２】
前記第ｎの反射型偏光板の視認側とは反対側に、色フィルターを備えることを特徴とする請求項８に記載の液晶表示装置。
【請求項１３】
前記色フィルターは、吸収型の色偏光板、誘電体多層膜フィルター、または吸収型フィルターであることを特徴とする請求項１２に記載の液晶表示装置。
【請求項１４】
前記色フィルターの視認側とは反対側に、反射板を備えることを特徴とする請求項１２または１３に記載の液晶表示装置。
【請求項１５】
前記色フィルターの視認側とは反対側に、バックライトを備えることを特徴とする請求項１２または１３に記載の液晶表示装置。
【請求項１６】
前記バックライトは、ＥＬ、ＬＥＤ、熱陰極管、または冷陰極管であることを特徴とする請求項１５に記載の液晶表示装置。
【請求項１７】
前記第ｎの反射型偏光板の視認側とは反対側に、半透過反射板を備え、
さらに、前記半透過反射板の視認側とは反対側にバックライトを備えることを特徴とする請求項８に記載の液晶表示装置。
【請求項１８】
前記バックライトは、ＥＬ、ＬＥＤ、熱陰極管、または冷陰極管であることを特徴とする請求項１７に記載の液晶表示装置。
【請求項１９】
前記色フィルターの視認側とは反対側に、半透過反射板を備え、
さらに、前記半透過反射板の視認側とは反対側にバックライトを備えることを特徴とする請求項１２または１３に記載の液晶表示装置。
【請求項２０】
前記バックライトは、ＥＬ、ＬＥＤ、熱陰極管、または冷陰極管であることを特徴とする請求項１９に記載の液晶表示装置。
【発明の詳細な説明】
【０００１】
【発明の属する技術分野】
本発明は、表示に液晶表示を利用して文字情報や画像情報あるいはグラフィックパターンを立体的に表示する反射型あるいは半透過型液晶表示装置に関する。
【０００２】
【従来の技術】
反射型や必要なときのみバックライトを点灯する半透過型の液晶表示装置は、消費電力を小さくできることから情報携帯端末をはじめ様々な分野に応用されている。
液晶表示を利用して、時・分・秒などの時刻情報や、日付け・曜日・月・年などのカレンダー情報をデジタル表示する時計用表示装置として、たとえば特開昭５４−１５３０６６号公報に記載のものがある。
【０００３】
時刻情報やカレンダー情報を、液晶を使用してデジタル表示するときは、さきに記載した公報に記載してあるように、液晶セルの上下にそれぞれ上吸収型偏光板と下吸収型偏光板を配置し、電界を印加すると光学特性が変化する液晶のもつ性質を利用して、所定の表示を行なっている。
【０００４】
【発明が解決しようとする課題】
この従来技術における液晶表示を利用した液晶表示装置では、一般的なノーマリーホワイト・モードでは、白地に黒表示で時刻情報やカレンダー情報をデジタル表示する。
【０００５】
しかしながら、このように白地に黒表示で時刻情報やカレンダー情報をデジタル表示する表示手段においては、デザイン的に変化がなく、さらにおもしろ味にも欠け、消費者に飽きられてしまうので、液晶表示には新しい表示形態が求められている。
【０００６】
〔発明の目的〕
本発明の目的は、上記の課題点を解決して、デザイン的に変化がある３次元立体表示が可能な液晶表示装置を提供することである。
【０００７】
【課題を解決するための手段】
上記の目的を達成するため、本発明による液晶表示装置の構成は、下記に記載の手段を採用する。
【０００８】
本発明による液晶表示装置の構成は、複数枚を重ねて所定の間隔で配置した第１から第ｎの液晶層（ｎは２以上の整数）と、第１の液晶層の視認側に配した、透過容易軸と平行な振動面は透過し、透過容易軸と直交する振動面を吸収する吸収型偏光板と、第１から第ｎの液晶層のそれぞれの間に配した、透過容易軸と直交する振動面は反射し、透過容易軸と平行な振動面を透過させる第１から第ｎ−１の反射型偏光板と、第ｎの液晶層の視認側とは反対側に配した第ｎの反射型偏光板とを備え、第１から第ｎの液晶層における各液晶層をそれぞれ制御することにより、３次元立体像の表示を可能とした構成を採用したものである。
【０００９】
また、本発明による液晶表示装置の構成は、前述した吸収型偏光板の透過容易軸と、第１の反射型偏光板の透過容易軸とを直交させて、第ｋ−１の反射型偏光板（ｋは２からｎまでの整数）の透過容易軸と、第ｋの反射型偏光板の透過容易軸とを直交させるのが好ましい。また、本発明による液晶表示装置の構成は、第１の液晶層から第ｎの液晶層の少なくとも２層以上の液晶層を、吸収型偏光板または反射型偏光板における透過容易軸の直線偏光に対して位相または強度変調を行う様にするのが好ましい。また、本発明による液晶表示装置の構成は、第１の液晶層から第ｎの液晶層の少なくとも２層以上の液晶層に、ツイストネマティック液晶を用いることができる。また、本発明による液晶表示装置の構成は、第１の液晶層から前記第ｎの液晶層の少なくとも２層以上の液晶層に、スーパーツイストネマティック液晶を用いることができる。また、本発明による液晶表示装置の構成は、第１の液晶層から前記第ｎの液晶層の少なくとも２層以上の液晶層に、強誘電性液晶を用いることができる。また、本発明による液晶表示装置の構成は、第１の液晶層から第ｎの液晶層の少なくとも２層以上の液晶層に、反強誘電性液晶を用いることができる。
【００１０】
また、本発明による液晶表示装置の構成は、前述した第１の液晶層から第ｎの液晶層をツイストネマティック液晶とし、吸収型偏光板の透過容易軸と、第１の液晶層の視認側のダイレクタの方向とを平行または直交させ、さらに、第ｋ−１の反射型偏光板の透過容易軸の方向と、第ｋの液晶層の視認側のダイレクタの方向とを平行または直交させて配置した構成を採用するものである。
【００１１】
また、本発明による液晶表示装置の構成は、前述した第ｎの反射型偏光板の視認側とは反対側に反射板を備えても良く、さらに、この第ｎの反射型偏光板の視認側とは反対側にバックライトを備えても良い。このバックライトには、ＥＬ、ＬＥＤ、熱陰極管、または冷陰極管を用いることができる。
【００１２】
また、本発明による液晶表示装置の構成は、前述した第ｎの反射型偏光板の視認側とは反対側に色フィルターを備えても良い。この色フィルターには、吸収型の色偏光板、誘電体多層膜フィルター、または吸収型フィルターを用いることができる。さらに、この色フィルターの視認側とは反対側に反射板を備えても良い。またさらに、この色フィルターの視認側とは反対側にバックライトを備えても良い。このバックライトには、前述したと同様にＥＬ、ＬＥＤ、熱陰極管、または冷陰極管を用いることができる。
【００１３】
また、本発明による液晶表示装置の構成は、前述した第ｎの反射型偏光板の視認側とは反対側に半透過反射板を備え、さらに、半透過反射板の視認側とは反対側にバックライトを備えても良い。このバックライトには、前述したと同様にＥＬ、ＬＥＤ、熱陰極管、または冷陰極管を用いることができる。
【００１４】
また、本発明による液晶表示装置の構成は、前述した色フィルターの視認側とは反対側に半透過反射板を備え、さらに、半透過反射板の視認側とは反対側にバックライトを備えても良い。このバックライトには、前述したと同様にＥＬ、ＬＥＤ、熱陰極管、または冷陰極管を用いることができる。
【００１６】
〔作用〕
本発明における液晶表示装置は、第１の液晶層の視認側に配置する吸収型偏光板は、透過容易軸と直交する振動面をもつ直線偏光は吸収する部材である。
ｎを２以上として、所定のｎ枚を積層する第１から第ｎ番目の液晶層の視認側と反対側に配置する第１から第ｎ番目の反射型偏光板は、透過容易軸と直交する振動面をもつ直線偏光は反射する部材である。
【００１７】
第１目から第ｎ番目の液晶層を９０度ひねりのツイストネマチィック液晶とする。
第１の液晶層をあいだに挟んで上側、すなわち視認側に配置する吸収型偏光板の透過容易軸と、第１の液晶層の視認側の液晶分子のダイレクタの方向を平行または直交とし、吸収型偏光板の透過容易軸と第１の反射型偏光板の透過容易軸を直交とする。
【００１８】
さらに、第１の反射型偏光板の透過容易軸と第２の液晶層の視認側のダイレクタの方向を平行または直交とし、第１の反射型偏光板の透過容易軸と第２の反射型偏光板の透過容易軸とを直交とし、以下、所定の第ｎ番目まで第ｋ−１番目の反射型偏光板の透過容易軸の方向と第ｋ番目の液晶層の視認側のダイレクタの方向を平行または直交とし、第ｋ−１番目の反射型偏光板の透過容易軸の方向と第ｋ番目の反射型偏光板の透過容易軸の方向を直交とする
【００１９】
第１から第ｎ番目の液晶層に電圧を印加しない場合、第１の液晶層の視認側に配置する吸収型偏光板に入射した光の透過容易軸方向を透過した成分は第１の液晶層に入射し、第１の液晶層のライトガイド効果によって、透過直線偏光の電界の振動面は第１の液晶層のダイレクタ分布にしたがって振動面を回転しながら伝搬する。
したがって、第１の液晶層を出射した光は、下側の第１の反射型偏光板の透過容易軸方向に振動面をもつため第１の反射型偏光板を透過する。
【００２０】
第１の反射型偏光板を透過した光は第２の液晶層に入射し、第２の液晶層のライトガイド効果によって、振動面が液晶分子のダイレクタ分布にしたがい回転しながら伝搬し、その結果、第２の反射型偏光板の透過容易軸方向に振動面をもつため第２の反射型偏光板を透過する。
以上の原理の繰り返しによって、第ｎ番目の反射型偏光板まで順次反射型偏光板を光は透過する。
【００２１】
つぎに第ｋ番目の液晶層にのみ電圧を印加すると、第ｋ番目の液晶層のライトガイド効果が消失するため、第ｋ−１番目の反射型偏光板の透過容易軸を透過した光は、振動面を回転することなく第ｋ番目の液晶層を伝搬する。
したがって、その光は第ｋ番目の反射型偏光板の反射軸方向の振動成分をもつため第ｋ番目の反射型偏光板で反射し、第ｋ−１番目の反射型偏光板から入射時とは逆の経路で第１番目の反射型偏光板を透過し、さらに第１番目の液晶層を透過したあと、吸収型偏光板の透過容易軸を透過して観察者に視認される。
【００２２】
観察者に視認される反射光は、各液晶層の可視域での吸収が小さくさらに反射型偏光板の反射軸の反射率が充分高く分光反射率が比較的平坦となるように選べば銀やアルミニウムといった金属の反射スペクトルを模倣したメタル調と視認される。
【００２３】
ここで、たとえば第１の液晶層を挟持するガラス基板上に形成する透明電極を所定の単純マトリクス駆動によるドットパターンとし、それと同一のパターンを第２から第ｎ番目までの液晶層を挟持するガラス基板上に形成する透明電極に形成しておくとする。
さらに、右手座標系で考えて第１の液晶層から第ｎ番目の液晶層を積層する方向をｚ軸で正とし、各液晶層面内をｘ−ｙ平面とする。
【００２４】
このドットパターンの各液晶層のｘ−ｙ平面内での同一の位置の液晶層部分がライトガイド効果を消失する電圧を印加した場合、複数の液晶層に電圧を印加しても観察者が視認するのは、そのうち一番観察者に近い視認側の第ｉ番目の液晶層の下に配置した第ｉ番目の反射型偏光板からの反射光のみとなる。
【００２５】
したがって、観察者は電圧を印加した液晶層のドットパターンのうちもっとも観察者に近い第ｉ番目の液晶層に書き込まれたドットパターンをｘ−ｙ平面内での表示として視認する。
ここで、各液晶層を観察者が見分けられるだけの間隔を置いて配置すれば３次元の奥行きを備える表示が可能となる。
【００２６】
さらに本発明の液晶表示装置においては、液晶層としてツイストネマチィック液晶以外に、スーパーツイストネマチィック液晶さらには強誘電性液晶または反強誘電性液晶も用いることができる。
【００２７】
さらに本発明の液晶表示装置においては、第ｎ番目の液晶層の視認側と反対側に配置する第ｎ番目の反射型偏光板の下に反射板を設ける構成を採用する。この反射板は、フィルム状基板に銀やアルミニウムやニッケルなどの金属薄膜を形成した部材や、誘電体多層膜を適用する。
【００２８】
この反射板を第ｎ番目の反射型偏光板の下側に配置すると、この第ｎ番目の反射型偏光板を透過した光を反射板にて、反射させることができ、反射型偏光板からの反射光と反射板からの反射光両方を使用するため光の利用効率が向上し、明るく、コントラストが向上した３次元立体表示を行なうことができる液晶表示装置を提供することができる。
【００２９】
さらに本発明の液晶表示装置においては、第ｎ番目の液晶層の視認側と反対側に配置する反射型偏光板に下に色フィルターを設ける構成を採用する。
この色フィルターは、吸収型の色偏光板、誘電体多層膜フィルター、または吸収型フィルターを用いて構成する。
【００３０】
この色フィルターを第ｎ番目の反射型偏光板の下側に配置すると、この反射型偏光板を透過した光の特定波長を色フィルターにて、吸収させることができ、背景をカラー化できる。
【００３１】
さに、第ｎ番目の反射型偏光板の下や第ｎ番目の反射型偏光板の下に半透過反射板を設置した下にバックライトを配置する構成としたときは、外光があるときは反射型表示装置としての３次元立体表示が可能となり、外光がないときにもエレクトロルミネセンス（ＥＬ）などのバックライトによる半透過型表示装置として文字やグラフィックスなどの３次元立体表示が可能となる液晶表示装置を提供することができる。
【００３２】
【発明の実施の形態】
以下、図面を使用して本発明の液晶表示装置における最適な実施形態を説明する。
【００３３】
〔第１の実施形態：図１および図９〕
つぎに本発明の第１の実施の形態における液晶表示装置の構成を、図１を用いて説明する。
【００３４】
図１に示すように、第１の実施形態の液晶表示装置は、第１の液晶層１１１の視認側に吸収型偏光板１０１を設ける。
つぎに、第１の液晶層１１１の視認側と反対側に第１の反射型偏光板１２１を設ける。
そして、第１の反射型偏光板１２１の視認側と反対側に第２の液晶層１１３を設ける。
続いて、第２の液晶層１１３の視認側と反対側に第２の反射型偏光板１２３を設ける。第２の反射型偏光板１２３の視認側と反対側に第３の液晶層１１５を設ける。第３の液晶層１１５の視認側と反対側に第３の反射型偏光板１２５を設ける。
さらに、第３の反射型偏光板１２５の視認側と反対側に第４の液晶層１１７を設ける。さらにまた、第４の液晶層１１７の視認側と反対側に第４の反射型偏光板１２７を設ける。
【００３５】
ここで、第１の液晶層１１１の視認側に設ける吸収型偏光板１０１は、透過容易軸と平行する光の振動面は透過し、透過容易軸と直交する振動面は吸収するシート状の部材である。
【００３６】
第１の液晶層１１１から第４の液晶層１１７の視認側と反対側に配置する第１の反射型偏光板１２１から第４の反射型偏光板１２７は、透過容易軸と直交する光の振動面は反射し、透過容易軸と平行する光の振動面は透過するシート状の部材である。
この反射型偏光板としては、たとえば住友スリーエム株式会社のオプチカルフィルム  ＤＢＥＦ（商品名）を使用する。
【００３７】
第１の液晶層１１１と第２の液晶層１１３および第３の液晶層１１５と第４の液晶層１１７は、２枚のガラス基板のあいだに液晶を閉じこめるように封止する９０度ツイストネマチック液晶で構成している。
そして２枚のガラスには、液晶と接触する側に電極（図示せず）を形成し、さらに液晶分子が所定の方向に配向するように配向処理する。
そして、これらの電極間に電圧を印加することによって、電極間の液晶の配向状態を変化させ、文字情報やグラフィックを表示する。
【００３８】
第１の液晶層１１１の視認側の液晶分子のダイレクタの方向と、第１の液晶層１１１の視認側に設ける吸収型偏光板１０１の透過容易軸とは、平行または直交になるように配置する。
吸収型偏光板１０１の透過容易軸と第１の反射型偏光板１２１の透過容易軸の方向を直交となるようにする。さらに第２の液晶層１１３の視認側の液晶分子のダイレクタの方向と第１の反射型偏光板１２１の透過容易軸の方向とは平行または直交になるように配置する。
そして、第１の反射型偏光板１２１の透過容易軸と第２の反射型偏光板１２３の透過容易軸との方向は直交となるように配置する。
【００３９】
第３の液晶層１１５の視認側の液晶分子のダイレクタの方向と第２の反射型偏光板１２３の透過容易軸とは平行または直交になるように配置する。第２の反射型偏光板１２３の透過容易軸と第３の反射型偏光板１２５の透過容易軸の方向を直交となるようにする。
さらに、第４の液晶層１１７の視認側の液晶分子のダイレクタの方向と、第３の反射型偏光板１２５の透過容易軸の方向とは、平行または直交になるように配置する。そして、第３の反射型偏光板１２５の透過容易軸と第４の反射型偏光板１２７の透過容易軸との方向は直交となるように配置する。
【００４０】
本発明の液晶表示装置では、第１の液晶層１１１から第４の液晶層１１７に電圧を印加しない状態では、第１の液晶層１１１の視認側に配置する吸収型偏光板１０１に入射した光の半分は吸収型偏光板１０１の吸収軸で吸収され残りの半分の偏向成分が第１の液晶層１１１に入射しライトガイド効果により所定のツイスト角だけ偏光の振動方向がねじれる。
したがって、入射光は第１の反射型偏光板１２１の透過容易軸方向に電界の振動面をもつため第１の反射型偏光板１２１を透過する。
【００４１】
同様の原理により第２の液晶層１１３に伝搬した入射光は第２の反射型偏光板１２３から第３の液晶層１１５を経て第３の反射型偏光板１２５を透過する。
さらに、第４の液晶層１１７を伝搬した入射光は第４の反射型偏光板１２７を透過する。
【００４２】
したがって、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるため、第４の反射型偏光板１２７の背景を視認することになる。
【００４３】
つぎに第１の液晶層１１１だけに所定の電圧を印加し液晶の配向をホメオトロピック配向に近づけると、第１の液晶層１１１は、ライトガイド効果を消失するため、吸収型偏光板１０１の透過容易軸を透過した入射光は、第１の反射型偏光板１２１の反射軸方向の振動面をもつので反射する。
したがって、観察者は第１の反射型偏光板１２１で反射し、入射時と逆の経路で吸収型偏光板１０１の透過容易軸を透過してきた反射光を視認する。
【００４４】
ここで、第１の液晶層１１１の吸収が充分小さく、反射型偏光板１２１の反射軸の分光反射特性が可視光領域でフラットで高い反射率を有すれば、観察者は、反射光をメタル調と視認する。
【００４５】
つぎに第２の液晶層１１３だけに所定の電圧を印加し液晶の配向をホメオトロピック配向に近づけると第２の液晶層１１３はライトガイド効果を消失する。
その結果、吸収型偏光板１０１の透過容易軸を透過した入射光は、第１の液晶層１１１から第１の反射型偏光板１２１の透過容易軸を経て第２の液晶層１１３を伝搬するが、第２の液晶層１１３では振動面が回転しないため、第２の反射型偏光板１２３の反射軸方向の振動面をもつため反射する。
したがって、観察者は第２の反射型偏光板１２３で反射し、入射時と逆の経路で吸収型偏光板１０１の透過容易軸を透過してきた反射光を視認する。
【００４６】
さらに、観察者は第１の反射型偏光板１２１と第２の反射型偏光板１２３との間隔Δｚが所定の間隔以上であれば、第１の液晶層１１１だけに所定の電圧を印加して視認した第１の反射型偏光板１２１からの反射像と第２の液晶層１１３だけに所定の電圧を加えて視認した第２の反射型偏光板１２３からの反射像では、第２の反射型偏光板１２３からの反射像の方が奥に位置すると視認することが可能となる。
【００４７】
同様に第３の液晶層１１５だけに所定の電圧を印加したときは、第３の反射型偏光板１２５からの反射像を観察者は視認し、第４の液晶層１１７だけに所定の電圧を印加したときは、第４の反射型偏光板１２７からの反射像を観察者は視認する。
さらに、各反射型偏光板の間隔Δｚが所定の値で充分大きければｚが大きい位置に配置する反射型偏光板からの反射像の方が観察者にとっては奥に位置すると視認できることも同じである。
【００４８】
つぎに、複数の液晶層に同時に所定の電圧を印加し、その液晶層をホメオトロピック配向に近づけた場合は、もっとも観察者側に近い反射型偏光板からの反射像を観察者は視認することとなる。
たとえば、第２の液晶層１１３と第４の液晶層１１７に所定の電圧を印加した場合、観察者は第２の反射型偏光板１２３からの反射像を視認する。
【００４９】
ここで、図９に示すように半球状の３次元画像データ９０１を本発明の液晶表示装置で近似的に表示する場合を説明する。３次元画像データ９０１を所定の間隔で平面ａ９１１、平面ｂ９１３、平面ｃ９１５そして平面ｄ９１７で仮想的に輪切りにすることを考える。
図９に示すように、各平面には３次元画像データを輪切りにした２次元化データを考えることができる。平面ａ９１１上には２次元化データａ９２１を考えることができ、平面ｂ９１３上には２次元化データｂ９２３が考えられる。
同じように、平面ｃ９１５上には２次元化データｃ９２５が考えられ、平面ｄ９１７上には対応する２次元化データｄ９２７を考えることができる。
【００５０】
したがって、３次元画像データ９０１を平面ａ９１１上でサンプリングして生成した２次元化データａ９２１を所定のパターンやドットマトリクスで画素電極を形成した第１の液晶層１１１で表示することにより、観察者は２次元化データａ９２１の近似反射パターンを第１の反射型偏光板１２１からの反射光で視認することができる。
同様に所定のパターンやドットマトリクスで画素電極を形成した第２の液晶層１１３で２次元化データｂ９２３を表示し、第３の液晶層１１５で２次元化データｃ９２５を表示し、さらに、第４の液晶層１１７で２次元化データｄ９２７を表示することで観察者は、３次元画像データ９０１の形状の近似反射パターンを３次元立体像として視認することができる。
【００５１】
以上の説明では、液晶層と反射型偏光板の組を４層として説明したが、液晶層および反射型偏光板を一組としたときの層の数は２層以上であれば任意のｎ層でよい。
【００５２】
また、本発明の液晶表示装置においては、第１の液晶層１１１または第２の液晶層１１３または第３の液晶層１１５または第４の液晶層１１７のいずれかあるいは全部にツイストネマチィック液晶以外にスーパーツイストネマティック液晶や強誘電性液晶または反強誘電性液晶も用いることができる。
【００５３】
〔第２の実施形態：図２〕
つぎに本発明の第２の実施の形態における液晶表示装置の構成を、図２を用いて説明する。この第２の実施形態では、第１の実施形態の構成に反射板を設けている。
【００５４】
本発明の第２の実施の形態における液晶表示素子の構成は、図２のように、第１の実施の形態における液晶表示装置の構成において説明した第４の反射型偏光板１２７の視認側と反対側に反射板２０１を設ける。
【００５５】
この反射板２０１は、フィルム状基板に銀やアルミニウムやニッケルなどの金属薄膜を形成した部材や、あるいは誘電体多層膜を適用する。
【００５６】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるため第４の反射型偏光板１２７の視認側と反対側に配置する反射板２０１からの反射光を表示の背景として視認することになる。
【００５７】
第１の液晶層１１１から第４の液晶層１１７の各液晶層に所定のパターンやドットマトリクスによる画素電極を設け、所定の電圧を印加したとき任意の３次元画像データ９０１の近似反射像が表示できることは、第１の実施の形態の説明と同様である。
【００５８】
以上の説明では、液晶層と反射型偏光板の組を４層として説明したが、液晶層および反射型偏光板を一組としたときの層の数は２層以上であれば任意のｎ層でよい。
【００５９】
また、本発明の液晶表示装置においては、第１の液晶層１１１または第２の液晶層１１３または第３の液晶層１１５または第４の液晶層１１７のいずれかあるいは全部にツイストネマチィック液晶以外にスーパーツイストネマティック液晶や強誘電性液晶または反強誘電性液晶も用いることができる。
【００６０】
〔第３の実施形態：図３〕
つぎに本発明の第３の実施の形態における液晶表示装置の構成を、図３を用いて説明する。
【００６１】
本発明の第３の実施の形態における液晶表示素子の構成は、図３のように、第１の実施の形態における液晶表示装置の構成において説明した第４の反射型偏光板１２７の視認側と反対側にバックライト３０１を設ける。
【００６２】
このバックライト３０１は、エレクトロルミネセンス（ＥＬ）や、ライトエミティングダイオード（ＬＥＤ）や、熱陰極管や、冷陰極管を適用する。
【００６３】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるためバックライト点灯時は第４の反射型偏光板１２７の視認側と反対側に配置するバックライト３０１の光を表示の背景として視認することになる。
【００６４】
第１の液晶層１１１から第４の液晶層１１７の各液晶層に所定のパターンやドットマトリクスによる画素電極を設け、所定の電圧を印加したとき任意の３次元画像データ９０１の近似反射像が表示できることは、第１の実施の形態の説明と同様である。
【００６５】
以上の説明では、液晶層と反射型偏光板の組を４層として説明したが、液晶層および反射型偏光板を一組としたときの層の数は２層以上であれば任意のｎ層でよい。
【００６６】
また、本発明の液晶表示装置においては、第１の液晶層１１１または第２の液晶層１１３または第３の液晶層１１５または第４の液晶層１１７のいずれかあるいは全部にツイストネマチィック液晶以外にスーパーツイストネマティック液晶や強誘電性液晶または反強誘電性液晶も用いることができる。
【００６７】
〔第４の実施形態：図４〕
つぎに本発明の第４の実施の形態における液晶表示装置の構成を、図４を用いて説明する。
【００６８】
本発明の第４の実施の形態における液晶表示素子の構成は、図４のように、第１の実施の形態における液晶表示装置の構成において説明した第４の反射型偏光板１２７の視認側と反対側に色フィルター４０１を設ける。
【００６９】
この色フィルター４０１は  吸収型の色偏光板、誘電体多層膜フィルター、または吸収型フィルターを適用する。
【００７０】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるため第４の反射型偏光板１２７の視認側と反対側に配置する色フィルター４０１を通した光を表示の背景として視認することになる。
【００７１】
第１の液晶層１１１から第４の液晶層１１７の各液晶層に所定のパターンやドットマトリクスによる画素電極を設け、所定の電圧を印加したとき任意の３次元画像データ９０１の近似反射像が表示できることは、第１の実施の形態の説明と同様である。
【００７２】
以上の説明では、液晶層と反射型偏光板の組を４層として説明したが、液晶層および反射型偏光板を一組としたときの層の数は２層以上であれば任意のｎ層でよい。
【００７３】
また、本発明の液晶表示装置においては、第１の液晶層１１１または第２の液晶層１１３または第３の液晶層１１５または第４の液晶層１１７のいずれかあるいは全部にツイストネマチィック液晶以外にスーパーツイストネマティック液晶や強誘電性液晶または反強誘電性液晶も用いることができる。
【００７４】
〔第５の実施形態：図５〕
つぎに本発明の第５の実施の形態における液晶表示装置の構成を、図５を用いて説明する。
【００７５】
本発明の第５の実施の形態における液晶表示素子の構成は、図５のように、第１の実施の形態における液晶表示装置の構成において説明した第４の反射型偏光板１２７の視認側と反対側に色フィルター４０１を設け、さらに反射板２０１を設ける。
【００７６】
この色フィルター４０１としては  吸収型の色偏光板や、誘電体多層膜フィルターや、または吸収型フィルターを適用する。
【００７７】
また、反射板２０１は、フィルム状基板に銀やアルミニウムやニッケルなどの金属薄膜を形成した部材や、あるいは誘電体多層膜を適用する。
【００７８】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるため第４の反射型偏光板１２７の視認側と反対側に配置する色フィルター４０１を通し反射板２０１で反射した光を表示の背景として視認することになる。
【００７９】
第１の液晶層１１１から第４の液晶層１１７の各液晶層に所定のパターンやドットマトリクスによる画素電極を設け、所定の電圧を印加したとき任意の３次元画像データ９０１の近似反射像が表示できることは、第１の実施の形態の説明と同様である。
【００８０】
以上の説明では、液晶層と反射型偏光板の組を４層として説明したが、液晶層および反射型偏光板を一組としたときの層の数は２層以上であれば任意のｎ層でよい。
【００８１】
また、本発明の液晶表示装置においては、第１の液晶層１１１または第２の液晶層１１３または第３の液晶層１１５または第４の液晶層１１７のいずれかあるいは全部にツイストネマチィック液晶以外にスーパーツイストネマティック液晶や強誘電性液晶または反強誘電性液晶も用いることができる。
【００８２】
〔第６の実施形態：図６〕
つぎに本発明の第６の実施の形態における液晶表示装置の構成を、図６を用いて説明する。
【００８３】
本発明の第６の実施の形態における液晶表示素子の構成は、図６のように、第１の実施の形態における液晶表示装置の構成において説明した第４の反射型偏光板１２７の視認側と反対側に色フィルター４０１を設け、さらにこの色フィルター４０１の下にバックライト３０１を設ける。
【００８４】
この色フィルター４０１としては  吸収型の色偏光板や、誘電体多層膜フィルターや、または吸収型フィルターを適用する。
【００８５】
このバックライト３０１は、ＥＬや、ＬＥＤや、熱陰極管や、または冷陰極管を適用する。
【００８６】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるためバックライト３０１点灯時はバックライト３０１の光が第４の反射型偏光板１２７の視認側と反対側に配置する色フィルター４０１を通し表示の背景として視認することになる。
【００８７】
第１の液晶層１１１から第４の液晶層１１７の各液晶層に所定のパターンやドットマトリクスによる画素電極を設け、所定の電圧を印加したとき任意の３次元画像データ９０１の近似反射像が表示できることは、第１の実施の形態の説明と同様である。
【００８８】
以上の説明では、液晶層と反射型偏光板の組を４層として説明したが、液晶層および反射型偏光板を一組としたときの層の数は２層以上であれば任意のｎ層でよい。
【００８９】
また、本発明の液晶表示装置においては、第１の液晶層１１１または第２の液晶層１１３または第３の液晶層１１５または第４の液晶層１１７のいずれかあるいは全部にツイストネマチィック液晶以外にスーパーツイストネマティック液晶や強誘電性液晶または反強誘電性液晶も用いることができる。
【００９０】
〔第７の実施形態：図７〕
つぎに本発明の第７の実施の形態における液晶表示装置の構成を、図７を用いて説明する。
【００９１】
本発明の第７の実施の形態における液晶表示素子の構成は、図７のように、第１の実施の形態における液晶表示装置の構成において説明した第４の反射型偏光板１２７の視認側と反対側に半透過反射板７０１を設け、さらにこの半透過反射板７０１の下にバックライト３０１を設ける。
【００９２】
第４の反射型偏光板１２７の下に設ける半透過反射板７０１は、フィルム状基板にアルミニウムやニッケルなどの金属薄膜を形成し入射した一部の光が透過する部材である。
【００９３】
半透過反射板７０１の下に設けるバックライト３０１は、ＥＬや、ＬＥＤや、熱陰極管や、または冷陰極管を用いる。
【００９４】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるためバックライト３０１非点灯時は第４の反射型偏光板１２７の視認側と反対側に配置する半透過反射板７０１で反射した光を表示の背景として視認することになる。また、観察者は、バックライト３０１点灯時はバックライト３０１の光が第４の反射型偏光板１２７の視認側と反対側に配置する半透過反射板７０１を通し表示の背景として視認することになる。
【００９５】
第１の液晶層１１１から第４の液晶層１１７の各液晶層に所定のパターンやドットマトリクスによる画素電極を設け、所定の電圧を印加したとき任意の３次元画像データ９０１の近似反射像が表示できることは、第１の実施の形態の説明と同様である。
【００９６】
以上の説明では、液晶層と反射型偏光板の組を４層として説明したが、液晶層および反射型偏光板を一組としたときの層の数は２層以上であれば任意のｎ層でよい。
【００９７】
また、本発明の液晶表示装置においては、第１の液晶層１１１または第２の液晶層１１３または第３の液晶層１１５または第４の液晶層１１７のいずれかあるいは全部にツイストネマチィック液晶以外にスーパーツイストネマティック液晶や強誘電性液晶または反強誘電性液晶も用いることができる。
【００９８】
〔第８の実施形態：図８〕
つぎに本発明の第８の実施の形態における液晶表示装置の構成を、図８を用いて説明する。
【００９９】
本発明の第８の実施の形態における液晶表示素子の構成は、図８のように、第１の実施の形態における液晶表示装置の構成において説明した第４の反射型偏光板１２７の視認側と反対側に色フィルター４０１を設け、さらにこの色フィルター４０１の下に半透過反射板７０１を設け、さらにまた半透過反射板７０１の下にバックライト３０１を設ける。
【０１００】
第４の反射型偏光板１２７の下に設ける色フィルター４０１は、吸収型の色偏光板や、誘電体多層膜フィルターや、または吸収型フィルターを適用する。
【０１０１】
色フィルター４０１の下に設ける半透過反射板７０１は、フィルム状基板にアルミニウムやニッケルなどの金属薄膜を形成し入射した一部の光が透過する部材である。
【０１０２】
半透過反射板７０１の下に設けるバックライト３０１は、ＥＬや、ＬＥＤや、熱陰極管や、または冷陰極管を用いる。
【０１０３】
したがって、第１の液晶層１１１から第４の液晶層１１７に電圧を印加しない場合、吸収型偏光板１０１の表面をｘ−ｙ平面としてｚ＝０と定義し右手系で考えることとしたとき、吸収型偏光板１０１のｚが負となる領域から本発明の液晶表示装置を視認する観察者は、本発明の液晶表示装置が透過状態となるためバックライト３０１非点灯時は第４の反射型偏光板１２７の視認側と反対側に配置する色フィルター４０１を透過し半透過反射板７０１で反射した光を表示の背景として視認することになる。また、観察者は、バックライト３０１点灯時はバックライト３０１の光が第４の反射型偏光板１２７の視認側と反対側に配置する半透過反射板７０１を通し色フィルターを透過した表示を背景として視認することになる。
【０１０４】
第１の液晶層１１１から第４の液晶層１１７の各液晶層に所定のパターンやドットマトリクスによる画素電極を設け、所定の電圧を印加したとき任意の３次元画像データ９０１の近似反射像が表示できることは、第１の実施の形態の説明と同様である。
【０１０５】
以上の実施の形態の説明では、液晶層と反射型偏光板の組を４層として説明したが、液晶層および反射型偏光板を一組としたときの層の数は２層以上であれば任意のｎ層でよい。
【０１０６】
また、本発明の液晶表示装置においては、第１の液晶層１１１または第２の液晶層１１３または第３の液晶層１１５または第４の液晶層１１７のいずれかあるいは全部に、ツイストネマチィック液晶以外にスーパーツイストネマティック液晶や強誘電性液晶または反強誘電性液晶も用いることができる。
【０１０７】
【発明の効果】
以上の説明のように、本発明における液晶表示装置は、各液晶層の視認側と反対側に配置する反射型偏光板は、透過容易軸と直交する振動面をもつ直線偏光は反射する部材である。
【０１０８】
本発明における液晶表示装置は、第１の液晶層の視認側に配置する吸収型偏光板は、透過容易軸と直交する振動面をもつ直線偏光は吸収する部材である。
ｎを２以上として、所定のｎ枚を積層する第１から第ｎ番目の液晶層の視認側と反対側に配置する第１から第ｎ番目の反射型偏光板は、透過容易軸と直交する振動面をもつ直線偏光は反射する部材である。
【０１０９】
第１目から第ｎ番目の液晶層を９０度ひねりのツイストネマチィック液晶とする。
第１の液晶層をあいだに挟んで上側、すなわち視認側に配置する吸収型偏光板の透過容易軸と、第１の液晶層の視認側の液晶分子のダイレクタの方向を平行または直交とし、吸収型偏光板の透過容易軸と第１の反射型偏光板の透過容易軸を直交とする。
【０１１０】
さらに、第１の反射型偏光板の透過容易軸と第２の液晶層の視認側のダイレクタの方向を平行または直交とし、第１の反射型偏光板の透過容易軸と第２の反射型偏光板の透過容易軸とを直交とし、以下、所定の第ｎ番目まで第ｋ−１番目の反射型偏光板の透過容易軸の方向と第ｋ番目の液晶層の視認側のダイレクタの方向を平行または直交とし、第ｋ−１番目の反射型偏光板の透過容易軸の方向と第ｋ番目の反射型偏光板の透過容易軸の方向を直交とする。
【０１１１】
第１から第ｎ番目の液晶層に電圧を印加しない場合、第１の液晶層の視認側に配置する吸収型偏光板に入射した光の透過容易軸方向を透過した成分は第１の液晶層に入射し、第１の液晶層のライトガイド効果によって、透過直線偏光の電界の振動面は第１の液晶層のダイレクタ分布にしたがって振動面を回転しながら伝搬する。
したがって、第１の液晶層を出射した光は、下側の第１の反射型偏光板の透過容易軸方向に振動面をもつため第１の反射型偏光板を透過する。
【０１１２】
第１の反射型偏光板を透過した光は第２の液晶層に入射し、第２の液晶層のライトガイド効果によって、振動面が液晶分子のダイレクタ分布にしたがい回転しながら伝搬し、その結果、第２の反射型偏光板の透過容易軸方向に振動面をもつため第２の反射型偏光板を透過する。
以上の原理の繰り返しによって、第ｎ番目の反射型偏光板まで順次反射型偏光板を光は透過する。
【０１１３】
つぎに第ｋ番目の液晶層にのみ電圧を印加すると、第ｋ番目の液晶層のライトガイド効果が消失するため、第ｋ−１番目の反射型偏光板の透過容易軸を透過した光は、振動面を回転することなく第ｋ番目の液晶層を伝搬する。
したがって、その光は第ｋ番目の反射型偏光板の反射軸方向の振動成分をもつため第ｋ番目の反射型偏光板で反射し、第ｋ−１番目の反射型偏光板から入射時とは逆の経路で第１番目の反射型偏光板を透過しさらに第１番目の液晶層を透過したあと、吸収型偏光板の透過容易軸を透過して観察者に視認される。
【０１１４】
観察者に視認される反射光は、各液晶層の可視域での吸収が小さくさらに反射型偏光板の反射軸の反射率が充分高く分光反射率が比較的平坦となるように選べば、銀やアルミニウムといった金属の反射スペクトルを模倣したメタル調と視認される。
【０１１５】
ここで、たとえば第１の液晶層を挟持するガラス基板上に形成する透明電極を所定の単純マトリクス駆動によるドットパターンとし、それと同一のパターンを第２から第ｎ番目までの液晶層を挟持するガラス基板上に形成する透明電極に形成しておくとする。
さらに、右手座標系で考えて第１の液晶層から第ｎ番目の液晶層を積層する方向をｚ軸で正とし、各液晶層面内をｘ−ｙ平面とする。
【０１１６】
このドットパターンの各液晶層のｘ−ｙ平面内での同一の位置の液晶層部分がライトガイド効果を消失する電圧を印加した場合、複数の液晶層に電圧を印加しても観察者が視認するのはそのうち一番観察者に近い視認側の第ｉ番目の液晶層の下に配置した第ｉ番目の反射型偏光板からの反射光のみとなる。
【０１１７】
したがって、観察者は電圧を印加した液晶層のドットパターンのうちもっとも観察者に近い第ｉ番目の液晶層に書き込まれたドットパターンをｘ−ｙ平面内での表示として視認する。
ここで、各液晶層を観察者が見分けられるだけの間隔を置いて配置すれば３次元の奥行きを備える表示が可能となる。
【０１１８】
さらに本発明の液晶表示装置においては、液晶層としてツイストネマチィック液晶以外に、スーパーツイストネマチィック液晶さらには強誘電性液晶または反強誘電性液晶も用いることができる。
【０１１９】
さらに本発明の液晶表示装置においては、第ｎ番目の液晶層の視認側と反対側に配置する第ｎ番目の反射型偏光板の下に反射板を設ける構成を採用する。
この反射板は、フィルム状基板にアルミニウムやニッケルなどの金属薄膜を形成した部材である。
【０１２０】
この反射板を反射型偏光板の下側に配置すると、この反射型偏光板を透過した光を反射板にて、反射させることができる。
このため、光の利用効率が向上し、明るく、コントラストが向上した表示を行なうことができる時計を提供することができる。
【０１２１】
さらに本発明の時計においては、第ｎ番目の液晶層の視認側と反対側に配置する第ｎ番目の反射型偏光板に下に色フィルターを設ける構成を採用する。
この色フィルターは、吸収型の色偏光板、誘電体多層膜、または選択吸収を用いる手段にて構成する。
【０１２２】
この色フィルターを反射型偏光板の下側に配置すると、この反射型偏光板を透過した光の特定波長を色フィルターにて、吸収させることができ、背景色などをカラー化できる。
【０１２３】
さらに本発明の時計においては、第ｎ番目の液晶層の視認側と反対側に配置する第ｎ番目の反射型偏光板の下にバックライトを設ける構成を採用する。
このバックライトは、ＥＬやＬＥＤや熱陰極管あるいは冷陰極管を使用することができる。
【０１２４】
さらに本発明の液晶表示装置においては、第ｎ番目の液晶層の視認側と反対側に配置する第ｎ番目の反射型偏光板の下に半透過反射板を設け、その下にバックライトを設ける構成を採用する。
【０１２５】
第ｎ番目の反射型偏光板の下や第ｎ番目の反射型偏光板の下に半透過反射板を設置した下にバックライトを配置する構成としたときは、外光があるときは反射型表示装置としての３次元立体表示が可能となり、外光がないときにもＥＬなどのバックライトによる半透過型表示装置として文字やグラフィックスなどの３次元立体表示が可能となる液晶表示装置を提供することができる。
【０１２６】
このため、白地に黒表示で平面的に文字情報やグラフィック情報を表示する従来技術にたいして、本発明の液晶表示装置は、デザイン的に変化があり、しかもおもしろ味もある。
このように本発明においては、デザイン的に変化がある３次元立体表示可能な液晶表示装置を提供することができる。
【図面の簡単な説明】
【図１】本発明の第１の実施の形態における液晶表示装置の構成を示す図面である。
【図２】本発明の第２の実施の形態における液晶表示装置の構成を示す図面である。
【図３】本発明の第３の実施の形態における液晶表示装置の構成を示す図面である。
【図４】本発明の第４の実施の形態における液晶表示装置の構成を示す図面である。
【図５】本発明の第５の実施の形態における液晶表示装置の構成を示す図面である。
【図６】本発明の第６の実施の形態における液晶表示装置の構成を示す図面である。
【図７】本発明の第７の実施の形態における液晶表示装置の構成を示す図面である。
【図８】本発明の第８の実施の形態における液晶表示装置の構成を示す図面である。
【図９】本発明の３次元画像データ表示の原理を示す図面である。
【符号の説明】
１０１  吸収型偏光板
１１１  第１の液晶層
１１３  第２の液晶層
１１５  第３の液晶層
１１７  第４の液晶層
１２１  第１の反射型偏光板
１２３  第２の反射型偏光板
１２５  第３の反射型偏光板
１２７  第４の反射型偏光板
２０１  反射板
３０１  バックライト
４０１  色フィルター
７０１  半透過反射板
９０１  ３次元画像データ
９１１  平面ａ
９１３  平面ｂ
９１５  平面ｃ
９１７  平面ｄ
９２１  ２次元化データａ
９２３  ２次元化データｂ
９２５  ２次元化データｃ
９２７  ２次元化データｄ
【図１】
0003862370.tif 000002
【図２】
0003862370.tif 000003
【図３】
0003862370.tif 000004
【図４】
0003862370.tif 000005
【図５】
0003862370.tif 000006
【図６】
0003862370.tif 000007
【図７】
0003862370.tif 000008
【図８】
0003862370.tif 000009
【図９】
0003862370.tif 000010